(57)【要約】【課題】光照射とイオン導入の相乗効果によって皮膚深層部におけるコラーゲンの生成と化学物質成分の浸透をより一層促進させる。
【解決手段】正面にヘッド部１を突設し、その外周には、蝶番４とオープナ５を介してカバー６を開閉自在に取り付け、その中心を開口してヘッド部１の先端を露出する。ヘッド部１は、導電性材料で形成し、その中心にアクリルなどの樹脂で形成した窓ａを設け、その内側にＬＥＤ７の発光面を臨ませる。また、ヘッド部１は、直流電流を流す電源（図示しない）の一方の端子に接続し、他方の端子をグリップ電極２に接続する。
【選択図】　　　図２
0003099140.tif 000002
【実用新案登録請求の範囲】
【請求項１】
導電性のヘッドを有し、
　このヘッド面に光照射可能な透過部を形成してその内側に可視光光源の発光面を臨ませる一方、
　前記ヘッドを生体用電流の電源に接続することを特徴とする美容装置。
【請求項２】
前記ヘッド面に多孔質繊維布を固定する保持具を備えることを特徴とする請求項１記載の美容装置。
【請求項３】
前記生体用電流をイオン導入用の直流電流とする請求項１記載の美容装置。
【請求項４】
前記直流電流の極性を切換える操作ボタンを備えることを特徴とする請求項３記載の美容装置。
【請求項５】
前記直流電流の電圧を切換える操作ボタンを備えることを特徴とする請求項３記載の美容装置。
【請求項６】
前記可視光光源の出力波長域を550〜640nmとすることを特徴とする請求項１記載の美容装置。
【考案の詳細な説明】
【技術分野】
【０００１】
　本考案は、ヘッド面に可視光の光源とイオン導入用の電極を一体に備えてコラーゲンの生成と薬効成分の浸透を促進する美容装置に関する。
【考案の開示】
【考案が解決しようとする課題】
【０００２】
　皮膚は大別すると表層部の表皮と深層部の真皮と皮下組織から成り立っている。
　真皮のほとんど（70%）がコラーゲンからできていて、これが肌に張りと潤いを与えている。
　また、コラーゲンの中に点在している繊維芽細胞が体内のアミノ酸を吸収してコラーゲンを生成している。
　この繊維芽細胞が紫外線や活性酸素によってダメージを受けるとコラーゲンが減少してしわやたるみの原因となる。
【０００３】
　一方、皮膚に有害な紫外線や赤外線を含まない可視光を照射すると繊維芽細胞に存在する張力線維が活性化されてコラーゲンが増殖する。
　また、アスコルビン酸（ビタミンＣ）には繊維芽細胞を活性酸素から保護する抗酸化作用とコラーゲンの合成を促進する作用があり、また、メラニンの生成を抑制して新陳代謝を促す美白作用がある。
　このため、皮膚に可視光の照射とビタミンＣの投与を併用するとコラーゲンの生成がより一層促進され、さらに美白作用との相乗効果が得られる。
【０００４】
　一方、皮膚の角質と有刺層の間にはpHの異なる境界面があり、これがバリアゾーンとなって異物を阻止する。
　このため、化粧水を塗っただけでは有効成分が表皮の奥にある繊維芽細胞まで到達しない。
　例えばマイナスイオンを帯びた化学物質を導入しようとする場合、その水溶液を皮膚にあて、マイナスの電流を流すと体液中のプラスイオンが引き付けられて集中し、プラスイオン濃度が高まり、皮膚は酸性に傾く。体は自然にこの状態を解消しようとし、マイナスイオンに帯電した水溶液中の物質を皮膚内に引き込む。マイナスイオンを帯電した物質も通電されたマイナスイオンに反発し、離れようとしているため、容易に皮膚内に引き込まれることになる。
　このイオン導入によってビタミンＣなどの化学物質成分がバリアゾーンを透過できるようになる。
【０００５】
　そこで本考案は、光照射とイオン導入の相乗効果によって皮膚深層部におけるコラーゲンの生成と化学物質成分の浸透をより一層促進させることを目的になされたものである。
【課題を解決するための手段】
【０００６】
　かかる目的を達成するために、本考案は以下のように構成した。
【０００７】
　すなわち、本考案の美容装置は、導電性のヘッドを有し、このヘッド面に光照射可能な透過部を形成してその内側に可視光光源の発光面を臨ませる一方、前記ヘッドを生体用電流の電源に接続することにより上記目的が達成される。
【０００８】
　また、本考案の美容装置は、前記ヘッド面に多孔質繊維布を固定する保持具を備えることを特徴とする。
【０００９】
　また、本考案の美容装置は、前記生体用電流をイオン導入用の直流電流とする。
【００１０】
　また、本考案の美容装置は、前記直流電流の極性を切換える操作ボタンを備えることを特徴とする。
【００１１】
　また、本考案の美容装置は、前記直流電流の電圧を切換える操作ボタンを備えることを特徴とする。
【００１２】
　また、本考案の美容装置は、前記可視光光源の出力波長域を550〜640nmとすることを特徴とする。
【考案の効果】
【００１３】
　以上説明したように、本考案によれば、ヘッドから可視光と一緒にイオン導入用の電流が同時に出力されるので、可視光とともに美容液などの有効成分が皮膚の奥深く浸透し、これらの相乗効果によってコラーゲンの生成や有効成分によるトリートメント効果がより一層増大する。
【考案を実施するための最良の形態】
【００１４】
　以下に図面を参照して本考案の実施の形態について説明する。
【００１５】
　図１〜３に、本考案を実施した美容装置の正面図と一部を切欠いた側面図および背面図を示す。
　美容装置は、正面にヘッド部１を突設し、側面にグリップ電極２を装着し、背面にパネル面３を配置する。
　ヘッド部１の外周には、蝶番４とオープナ５を介してカバー６を開閉自在に取り付け、その中心を開口してヘッド部１の先端を露出する。
　ヘッド部１は、導電性材料で形成し、その中心にアクリルなどの樹脂で形成した窓ａを設け、その内側にＬＥＤ７の発光面を臨ませる。
　また、ヘッド部１は、直流電流を流す電源（図示しない）の一方の端子に接続し、他方の端子をグリップ電極２に接続する。
【００１６】
　ヘッド部１は、ＣＰＵを組み込んだ電源の周波数変換回路の出力を制御して直流の他にパルス出力や交互出力による低周波電流や高周波電流を流してもよい。
　これにより、皮膚を電気的に刺激して血行やリンパ液の流れを促進できるようになる。
　ヘッド部１とグリップ電極２は、アルミ、ジュラルミン、ステンレス、銅などの金属で形成し、表面に樹脂クロムメッキなどの表面処理を施す。
　あるいは、導電性のゴムやエンジニアリングプラスチックなどの樹脂で形成してもよい。
　ＬＥＤ７は、波長域が550〜640nmの可視光を発光し、パッケージの境界面で発生する全反射光を内部のミラーで再反射させて光利用効率を従来の２倍以上に高めた高輝度タイプのものを用いる。
【００１７】
　パネル面３には、電源のオン・オフとクレンジング／パッティングのモードを切換えるパワーキー31とその表示用のＬＥＤランプ32、直流電流の電圧レベルを低・中・高の３段階に切換えるレベルキー33とその表示用のＬＥＤランプ34をそれぞれ配置する。
【００１８】
　本考案を実施した美容装置は以上のような構成で、図４〜５に示すように、最初にオープナ５を押してカバー６を開き、マイナスに帯電した化粧水や精製水を含浸した多孔質繊維布ｂをヘッド部１に被せ、カバー６を閉じてそれをヘッド部１に固定し、パワーキー31を押して電源を投入する。
　電源を投入すると、最初にクレンジングモードが設定され、ＬＥＤランプ32が点滅してクレンジングモードのトリートメントが開始する。
　これはイオン導入の前に汚れが残っていると炎症を起こす恐れがあるので皮膚を清潔にするために前以て行う。
　トリートメントが開始したら、図６に示すように、グリップ電極２を手に触れながらヘッド部１を軽く皮膚に押し当ててゆっくり移動させる。
　多孔質繊維布ｂは、保水性に優れ、肌への感触がよいコットンなどの不織布やガーゼなどの織布を用いる。
【００１９】
　クレンジングモードはマイナスの電流を流して皮膚を緩和させ、毛穴を開いてプラスイオンに帯電した汚れを引き出し、化粧水や精製水に含ませて取り除く。
　同時にマイナスイオンに帯電した成分を皮膚に浸透させる。
　マイナスイオンに帯電している汚れは泥、汗、ほこり等で、通常のクレンジングで落とせるが、プラスイオンに帯電した汚れはダニの死骸、排気ガス、古い角質などでなかなか取り除くことができない。
【００２０】
　クレンジングが終わったらオープナ５を押してカバー６を開き、新しい多孔質繊維布bに交換してカバー６を閉じる。そして、図７に示すように多孔質繊維布bに美容液を２〜３滴落として全体に馴染ませ、パワーキー31を押してパッティングモードを選択する。これにより、ＬＥＤランプ32が点滅してパッティングモードのトリートメントが開始する。パッティングモードはプラスの電流を流してプラスイオンに帯電した成分を皮膚に浸透させ、同時に可視光を照射して真皮層の繊維芽細胞を活性化する。また、最後にプラスの電流を流すことで皮膚を緊張させ、毛穴を引き締める。
　ビタミンなどの成分はマイナスイオンに帯電するが、プラスの電流とマイナスの電流を交互に出力することでこれらの成分を皮膚に浸透させる効果がある。
【００２１】
　マイナスの電流は、マイナスに帯電した成分を取り入れやすくし、神経を刺激して血液の循環を盛んにし、組織をやわらかくして毛穴を開く働きがある。
　プラスの電流は、プラスに帯電した成分を取り入れやすくし、神経を鎮静させて血液の循環を抑え、組織を引き締めて毛穴を閉じる働きがある。
【００２２】
　途中でトリートメントモードを変更したい場合は、パワーキー31を押して好みのトリートメントモードに切換える。
　また、途中で電圧レベルを変更したい場合は、レベルキー33を押して好みのレベル（強さ）に切換える。
　また、途中でトリートメントを中断したい場合は、パワーキー31を２度押して電源を切断する。
【図面の簡単な説明】
【００２３】
【図１】本考案を実施した美容装置の正面図である。
【図２】図１の一部を切欠いた側面図である。
【図３】図１の背面図である。
【図４】美容装置のカバーを開く操作の説明図である。
【図５】多孔質繊維布をヘッド部に固定する操作の説明図である。
【図６】美容装置を手に持ってトリートメントする操作の説明図である。
【図７】美容液を多孔質繊維布に含ませる操作の説明図である。
【符号の説明】
【００２４】
　　１　　　　　　ヘッド部
　　２　　　　　　グリップ電極
　　３　　　　　　パネル面
　　31　　　　　　パワーキー
　　32　　　　　　ＬＥＤランプ
　　33　　　　　　レベルキー
　　34　　　　　　ＬＥＤランプ
　　４　　　　　　蝶番
　　５　　　　　　オープナ
　　６　　　　　　カバー
　　７　　　　　　ＬＥＤ
　　ａ　　　　　　窓
　　ｂ　　　　　　多孔質繊維布
【図１】
0003099140.tif 000003
【図２】
0003099140.tif 000004
【図３】
0003099140.tif 000005
【図４】
0003099140.tif 000006
【図５】
0003099140.tif 000007
【図６】
0003099140.tif 000008
【図７】
0003099140.tif 000009